(57)【要約】【課題】内容物を確実に絞り出すことができる新規な二重構造の容器の提供。【解決手段】圧力を加えると変形し、圧力が無くなると元の形状に復元する外側容器１０内に、圧力を加えると変形し、圧力が無くなって元の形状に復元しない内側容器２０を有する二重構造の容器１００であって、前記内側容器２０内に、当該内側容器２０に充填された内容物Ｍを流通すべく当該内側容器の口部２２と連通するガイドパイプ２５を備える。これによって、内側容器２０自体が潰れて内側容器２０の口部を塞ぐことがなくなるため、内容物Ｍのすべてを確実に絞り出すことができる。【選択図】  図１
2011157119.tif 000002
【特許請求の範囲】
【請求項１】
圧力を加えると変形し、圧力が無くなると元の形状に復元する外側容器内に、圧力を加えると変形し、圧力が無くなって元の形状に復元しない内側容器を有する二重構造の容器であって、
前記内側容器内に、当該内側容器に充填された内容物を流通すべく当該内側容器の口部と連通するガイドパイプを備えたことを特徴とする二重構造の容器。
【請求項２】
請求項１に記載の二重構造の容器において、
前記ガイドパイプには、その長手方向に沿って複数の流入穴が形成されていることを特徴とする二重構造の容器。
【請求項３】
請求項１または２に記載の二重構造の容器において、
前記ガイドパイプは、下部がＴ字状になっていることを特徴とする二重構造の容器。
【請求項４】
請求項１ないし３のいずれか１項に記載の二重構造の容器において、
前記内側容器は、当該口部が前記外側容器の口部に着脱自在となっていると共に、内容物が充填された状態の外径が前記外側容器の口部の口径よりも小さくなっていることを特徴とする二重構造の容器。
【請求項５】
請求項１ないし４のいずれか１項に記載の二重構造の容器において、
前記外側容器は、袋状の容器本体に、圧力を加えたときには閉じると共に圧力が無くなって元の形に復元するときには開いて外部の空気を取り入れる空気弁を有することを特徴とする二重構造の容器。
【請求項６】
請求項５に記載の二重構造の容器において、
前記空気弁は、前記外部容器に開けた空気孔と、この空気孔を開閉するように揺動するフィルム状の弁体とからなることを特徴とする二重構造の容器。
【請求項７】
請求項１ないし６のいずれか１項に記載の二重構造の容器において、
前記内側容器の口部に、内容物の吐出圧が掛かったときに開き、吐出圧が無くなったときには閉じる逆流防止弁を備えたことを特徴とする二重構造の容器。
【請求項８】
請求項１ないし７のいずれか１項に記載の二重構造の容器において、
前記外側容器は、透明又は半透明の材料からなることを特徴とする二重構造の容器。
【発明の詳細な説明】
【技術分野】
【０００１】
本発明は、変形・復元自在な外側容器の内部に、クリームやペースト、油状物質、液状物質などの流動性の内容物を充填した内側容器を備えた二重構造の容器に関するものである。
【背景技術】
【０００２】
一般にマヨネーズや練りわさび、歯磨き粉、化粧クリームなどの流動性の物質はプラスチック製のチューブ状容器に充填して販売されていることが多い。
これらのチューブ状容器は、その側面などを手で押し潰すことにより内容物がその口部から押し出される構造であるが、出し終わった後に手を離すとその復元力によって容器の口部から空気が入り込んでしまう。これにより、内容物と空気（酸素）の接する面が徐々に広がり、内容物が酸化して鮮度や品質が低下してしまうことがある。
【０００３】
このような現象を避けるため、例えば薬品などでは金属製の非復元性のチューブ容器を用いて容器形状の復元による空気の取り込みを防ぐことで内容物と空気の接触を防止しているものが多いが、非復元性のチューブ容器では容器全体が徐々に潰れて小さくなってしまうことからその後の容器の取り扱いや使い勝手が悪いという欠点がある。
そのため、例えば以下の特許文献１では、外側容器内に内容物を充填した内側容器を収容すると共に外側容器に通気孔と逆止弁を備えた二重容器が提案されている。また、以下の特許文献２では、外側は復元力を有し、内側は復元力の小さな可撓性材料で内外二重チューブを構成し、かつ外側チューブに空気孔と弁を設けた絞り出し用二重チューブ容器が提案されている。
【０００４】
そして、これら特許文献１および２で提案されている二重容器では、外側の容器に圧力を加えることによって内側容器が圧迫されてその内容物が絞り出された後、その内側容器が小さくなった状態のまま外側の容器のみがその弁から空気を取り入れて復元することによって容器の取り扱いや使い勝手の悪化を防止するようにしている。
【先行技術文献】
【特許文献】
【０００５】
【特許文献１】実開昭５７−４４０６３号公報
【特許文献２】実開昭６３−１６９４５５号公報
【発明の概要】
【発明が解決しようとする課題】
【０００６】
しかしながら、前記のような公知の二重容器にあっては、内容物を吐出するに伴って内側の容器が徐々に小さくなっていく過程でその内側容器自体が潰れて口部を塞いでしまい、内容物の一部が絞り出されずに残ってしまうことがある。
また、二重容器は製造コストが高くなるだけでなく、その内側容器内の内容物をすべて出し切った後は、その全体を廃棄してしまうことから無駄が多いといった問題点がある。
【０００７】
そこで、本発明はこれらの課題を解決するために案出されたものであり、その主な目的は、内容物を確実に絞り出すことができる新規な二重構造の容器を提供するものである。
また、本発明の他の目的は、コストが掛かる二重容器を再利用可能として無駄を排除できる新規な二重構造の容器を提供するものである。
さらに、本発明の他の目的は、製造コストをより安価にできる新規な二重構造の容器を提供するものである。
【課題を解決するための手段】
【０００８】
前記課題を解決するために第１の発明は、
圧力を加えると変形し、圧力が無くなると元の形状に復元する外側容器内に、圧力を加えると変形し、圧力が無くなって元の形状に復元しない内側容器を有する二重構造の容器であって、前記内側容器内に、当該内側容器に充填された内容物を流通すべく当該内側容器の口部と連通するガイドパイプを備えたことを特徴とする二重構造の容器である。
このような構成をした二重構造の容器であれば、内側容器の口部と連通するガイドパイプによってその内側容器自体が潰れて内側容器の口部を塞いでしまうことがなくなるため、内容物のすべてを確実に絞り出すことができる。
【０００９】
また、第２の発明は、
第１の発明において、前記ガイドパイプには、その長手方向に沿って複数の流入穴が形成されていることを特徴とする二重構造の容器である。
このような構造であれば、仮にガイドパイプに内側容器が密着してその流入穴の一部が塞がれたとしても他の流入穴から内容物がガイドパイプ内に流入するため、詰まったりすることなく内容物のすべてを確実に絞り出すことができる。
【００１０】
また、第３の発明は、
第１または第２の発明において、前記ガイドパイプは、下部がＴ字状になっていることを特徴とする二重構造の容器である。
このような構造であれば、内側容器が萎んでいく過程においても内側容器が扁平形状に維持されるため、内容物をより効果的に絞り出すことができる。
【００１１】
また、第４の発明は、
第１ないし第３の発明において、前記内側容器は、当該口部が前記外側容器の口部に着脱自在となっていると共に、内容物が充填された状態の外径が前記外側容器の口部の口径よりも小さくなっていることを特徴とする二重構造の容器である。
このような構造によれば、内容物をすべて絞り出して空になった内側容器を外側容器から取り出して新しい内側容器に交換することができる。これによって、外側容器の再利用が可能となるため、コストの削減と無駄を排除することができる。
【００１２】
また、第５の発明は、
第１ないし第４のいずれかの発明において、前記外側容器は、袋状の容器本体に、圧力を加えたときには閉じると共に圧力が無くなって元の形に復元するときには開いて外部の空気を取り入れる空気弁を有することを特徴とする二重構造の容器である。
このような構造によれば、圧力を加えたときには容易に変形し、圧力が無くなったときには確実に元の形状に復元するため、内容物を確実に絞り出すことができると共に容器の取り扱いや使い勝手の悪化を回避できる。
【００１３】
また、第６の発明は、
第５の発明において、前記空気弁は、前記外部容器に開けた空気孔と、この空気孔を開閉するように揺動するフィルム状の弁体とからなることを特徴とする二重構造の容器である。
このような構造によれば、より簡易でかつ安価に空気弁を製造できるため、容器全体の製造コストを安くすることができる。
【００１４】
また、第７の発明は、
第１ないし６いずれかの発明において、前記内側容器の口部に、内容物の吐出圧が掛かったときに開き、吐出圧が無くなったときには閉じる逆流防止弁を備えたことを特徴とする二重構造の容器である。
このような構造によれば、口部から内側容器への空気の流入を確実に防止することができる。
【００１５】
また、第８の発明は、
第１ないし７のいずれかの発明において、前記外側容器は、透明又は半透明の材料からなることを特徴とする二重構造の容器である。
このような構造によれば、内側容器内の内容物の残量などを外部から視覚によって容易に把握することができる。
【発明の効果】
【００１６】
本発明によれば、内側容器の口部と連通するガイドパイプによってその内側容器自体が潰れて内側容器の口部を塞いでしまうことがないため、内容物のすべてを確実に絞り出すことができる。また、内側容器を外側容器から取り出して内側容器のみを新しいものに交換できるため、外側容器の再利用が可能となり、コストの削減と無駄を排除できる。
【図面の簡単な説明】
【００１７】
【図１】（ａ）は本発明に係る二重構造の容器１００の実施の一形態を示す正面図、（ｂ）はその側面図である。
【図２】（ａ）は図１（ａ）中Ａ部を示す部分拡大図、（ｂ）および（ｃ）は図１（ｂ）中Ａ部を示す部分拡大図である。
【図３】内側容器を外側容器から分離した状態を示す部分断面図である。
【図４】（ａ）は図３中Ａ部を示す部分拡大図、（ｂ）は（ａ）の状態から内容物が吐出している状態を示す概念図である。
【図５】図４（ａ）中Ａ−Ａ線断面図である。
【図６】（ａ）は内側容器に内容物が充填された状態を示す側面図、（ｂ）は（ａ）の状態から外側容器を加圧して内側容器の内容物を吐出した状態を示す側面図、（ｃ）は（ｂ）の状態から圧力が無くなって外側容器のみが元の形状に復元した状態を示す側面図、（ｄ）は（ｃ）の状態からさらに外側容器を加圧して内側容器の内容物を吐出した状態を示す側面図である。
【図７】（ａ）は内側容器内の内容物をほぼ完全に吐出した状態を示す正面図、（ｂ）は（ａ）の側面図である。
【図８】本発明に係る二重構造の容器の他の実施の形態を示したものである。
【図９】本発明に係る二重構造の容器の他の実施の形態を示したものであり、その蓋部２３部分の構成を示す説明図である。
【図１０】（ａ）は、空気弁１４の他の実施の形態を示す斜視図、（ｂ）は図１０（ａ）中Ａ部を示す部分拡大図である。
【図１１】空気弁１４の他の実施の形態を示す拡大断面図であり、（ａ）は空気孔１５が閉じた状態、（ｂ）は空気孔１５が開いた状態を示す図である。
【発明を実施するための形態】
【００１８】
以下、本発明の実施形態について、添付図面を参照しながら説明する。
図１は本発明に係る二重構造の容器（以下「二重容器」という）１００の実施の一形態を示したものであり、（ａ）はその正面図、（ｂ）はその側面図である。
図示するように、この二重容器１００はチューブ状をした外側容器１０の内側に、流動性の内容物を充填した袋状の内側容器２０を収容した構造となっている。
外側容器１０は、図３に示すように下端が閉じられた容器本体１１に環状の口部１２を備えた構造となっており、さらにその口部１２の周面には螺旋状のねじ山１３が形成されている。
【００１９】
この容器本体１１は、外部から圧力を加えると変形し、圧力が無くなると元の形状に復元する復元性を有しており、公知の合成樹脂、例えばポリ塩化ビニル、ポリ塩化ビニリデン、ポリビニルアルコール、ポリスチレン、スチレン・アクリロニトリル共重合体、スチレン・ブタジエン・アクリロニトリル共重合体、高密度ポリエチレン、中密度ポリエチレン、低密度ポリエチレン、エチレン・酢酸ビニル共重合体、ポリプロピレン、ポリアセタール、ポリメチルメタクリレート、変成アクリル、酢酸セルローズ、ポリカーボネイト、ポリエチレンテレフタレート、ポリアミド、ポリウレタンや天然ゴムなどから形成されている。
【００２０】
また、この容器本体１１の一部には、少なくとも１つ以上の空気弁（逆止弁）１４が設けられている。
この空気弁１４は、図２（ａ）〜（ｃ）に示すように、容器本体１１に穿孔された小さな空気孔１５と、この空気孔１５を容器本体１１の内側から塞ぐようにその一端（上端）が容器本体１１の内壁に固定された短冊形状をしたフィルム状の可撓性弁体１６とから構成されている。
【００２１】
そして、この空気弁１４は、図２（ｂ）に示すように容器本体１１に圧力を加えたときには、弁体１６の開放端が空気孔１５に密着してこれを閉じると共に、図２（ｃ）に示すように圧力が無くなって元の形に復元するときには、弁体１６の開放端が空気孔１５から離れてこれを開いて外部の空気を容器本体１１内に取り入れるようになっている。
一方、内側容器２０は、図３に示すように流動性の内容物Ｍを充填した拡縮変形自在な袋状の容器本体２１と、この容器本体２１を取り付けるパイプ状の口部２２と、この口部２２を貫通して固定するフランジ状の蓋部２３とから主に構成されている。
【００２２】
この蓋部２３は、その内周面にねじ溝２４が螺刻されており、前記外側容器１０の口部１２のねじ山１３と螺合することでこの内側容器２０を外側容器１０内に着脱自在に取り付けると共に外側容器１０の口部１２を密閉するようになっている。
容器本体２１は、圧力を加えると変形し、圧力が無くなっても元の形状に復元しないものであって、かつ内容物Ｍと反応せずに安定的に保存できる材質であれば特に限定するものでなく、前記外側容器１０を構成する材料などと同じ合成樹脂や天然樹脂などで構成することができる。さらにこの場合、加圧時の抵抗を少なくするためにできるだけ薄肉のもので構成することが望ましい。
【００２３】
また、図３に示すようにこの容器本体２１は、内容物Ｍが満杯に充填された状態の外径Ｌ１が外側容器１０の口部１２の口径Ｌ２よりもやや小さくなっており（Ｌ１＜Ｌ２）、内容物Ｍが満杯に充填された状態の内側容器２０であっても容易に外側容器１０内に収納したり取り外したりできるようになっている。
また、この容器本体２１内には、その内部に充填された内容物Ｍを流通（排出）するためのガイドパイプ２５が設けられている。
【００２４】
このガイドパイプ２５は、Ｔ字形状に形成されたパイプであり、その垂直部２５ａが口部２２内に挿入されるように口部２２側に固定されると共にその下端の水平部２５ｂが容器本体２１内底部に臨むように位置している。
さらに、このガイドパイプ２５にはその長手方向に沿って流入穴２６が複数形成されており、これらの流入穴２６、２６…の全部またはいずれかから内容物Ｍがガイドパイプ２５内に流入できるようになっている。
【００２５】
また、図４および図５に示すように外側容器１０の口部２２内には、逆流防止弁２７（逆止弁）が設けられている。
この逆流防止弁２７は、図４（ａ）に示すようにガイドパイプ２５の上部開口部２５ａを弁座としてこれに着座するボール弁Ｂと、ボール弁Ｂの脱落を防止すべく複数の突起（ストッパ）２８、２８、２８、２８（本実施の形態にあっては４つ）と、ボール弁Ｂを押さえつけるコイルバネ２９とから構成されている。
【００２６】
そして、図４（ａ）および図５に示すように内容物Ｍの吐出圧が掛かったときにはボール弁Ｂが持ち上げられて上部開口部２５ａが開いてガイドパイプ２５内の内容物がボール弁Ｂと突起２８、２８、２８、２８との間に形成される隙間Ｓを通過して口部２２先端から吐出される。
反対に内容物Ｍの吐出圧が無くなったときには、コイルバネ２９によってボール弁Ｂが上部開口部２５ａに着座して閉じられることでガイドパイプ２５内（容器本体２１内）への空気の流入（逆流）を防止するようになっている。また、圧がかからない状態で容器が転倒したときに内容物Ｍが漏れるのを防止するようになっている。
【００２７】
次に、このような構成をした本発明の二重容器１００の作用及び効果を説明する。
先ず、図６（ａ）、（ｂ）に示すように内側容器２０内に内容物Ｍが満杯に充填された状態から指などで外側容器１０を潰すように加圧するとその圧力によって内側容器２０内の内容物Ｍが外側容器１０の口部２２から吐出される。
そして、同図（ｂ）の状態から指を離すと同図（ｃ）に示すように外側容器１０自体の復元力によって外側容器１０が元の形状に戻ろうとする。このとき、外側容器１０内が負圧状態になることによって空気弁１４が開いて外気が空気孔１５から外側容器１０内に流入して均圧に保たれるため、復元の動きを阻害することはない。また、内側容器２０は逆流防止弁２７によって塞がれているため、口部２２から空気が内側容器２０内に流入することもない。
【００２８】
次に、同図（ｃ）に示す状態から再度指などで外側容器１０を潰すように加圧すると、外側容器１０内の内圧が上昇して空気弁１４が閉じると共に、その内圧によって内側容器２０が圧縮されてさらにその内容物Ｍが口部２２から吐出される。
そして、このような操作を繰り返すことで最後には図７に示すように内側容器２０がガイドパイプ２５に密着するように圧縮されてすべての内容物Ｍがガイドパイプ２５を通過して吐出されることになる。
【００２９】
なお、図面ではガイドパイプ２５の構造をわかりやすくするために実際よりも太く表現したが、このガイドパイプ２５内に残った最後の内容物Ｍを取り出すのは困難である。そのため、残留物をできるだけ減らすためにこのガイドパイプ２５は適度な強度を発揮しつつ可能な限り細くすることが望ましい。
このように本発明の二重容器１００は、外側容器１０は常に元の形状を維持しつつ内側容器２０のみがその内容物Ｍの残量に合わせて小さくなるため、容器の取り扱いや使い勝手の悪化を防止しつつ、空気（酸素）と接触することによる内容物Ｍの劣化や品質変化を防止できる。
【００３０】
また、内側容器２０内にその口部２２と連通するガイドパイプ２５を設けたため、その内側容器２０自体が潰れて内側容器２０の口部２２を塞いでしまうことがなくなり、内容物Ｍのすべてを確実に絞り出すことができる。
すなわち、このようなガイドパイプ２５が無いと、その内側容器２０の容器本体２１の変形（縮小）状態によっては、その容器本体２１の一部によって口部２２が塞がれてしまい残りの内容物Ｍが吐出できないことがあるが、本発明のように内側容器２０内にガイドパイプ２５を設けることでこのような不都合を確実に回避することができる。
【００３１】
また、このガイドパイプ２５の下端部はＴ字状になっているため、内側容器２０が萎んでいく過程においても内側容器２０が扁平形状に維持されるため、内容物Ｍをより効果的に絞り出すことができる。
さらに、本発明ではこのガイドパイプ２５に対し、その長手方向に沿って複数の流入穴２６、２６…を形成したため、仮にガイドパイプ２５に内側容器２０の容器本体２１が密着してその下部開口部またはその流入穴２６、２６…の一部が塞がれたとしても他の流入穴２６から内容物Ｍがガイドパイプ２５内に流入するため、詰まったりすることなく内容物Ｍのすべてを確実に排出することができる。
【００３２】
また、本発明の二重容器１００では、内側容器２０が外側容器１０の口部１２に着脱自在となっていると共に内容物Ｍをすべて絞り出して空になった内側容器２０を外側容器１０から取り出して新しい内側容器２０に交換することができる。
これによって、外側容器１０を何度でも再利用できるため、コストの削減と資源の無駄を排除することができる。
【００３３】
この場合、内容物Ｍが充填された状態の内側容器２０の外径Ｌ２が外側容器１０の口部の口径Ｌ１よりも小さくなっているため、内側容器２０の交換作業を容易に行うことができる。
また、外側容器１０に外部の空気を取り入れる空気弁１４を設けたことから、圧力を加えたときには容易に変形し、圧力が無くなったときには確実に元の形状に復元するため、内容物Ｍを確実に絞り出すことができると共に、容器の取り扱いや使い勝手の悪化を回避できる。
【００３４】
また、内側容器２０の口部２２に内容物Ｍの吐出圧が掛かったときに開き、吐出圧が無くなったときには閉じる逆流防止弁２７を備えたことから、その口部２２から内側容器２０への空気（酸素）の流入を確実に防止することができる。
さらに、外側容器１０を透明又は半透明の材料から形成すれば、内側容器２０内の内容物Ｍの残量などを外部から視覚によって容易に把握することができる。
【００３５】
また、外側容器１０と内側容器２０は、図３に示したようにねじ込方式で結合する構造の他に、図８および図９に示すような構造としても良い。
同図（ａ）に示すようにこの構造は、前記図３に示した蓋部２３の外周面にリング状の溝２３ａを形成すると共に、外側容器１０の容器本体１１の上部開口部の縁部にリング状の突起１１ａを設けたものである。
【００３６】
そして、図８（ｂ）に示すように、蓋部２３を口部２２に取り付けた後、図８（ｃ）および図９（ｂ）に示すように、内側容器２０の下から外側容器１０の容器本体１１を被せ、そのリング状の突起１１ａを蓋部２３外周面の溝２３ａに嵌め込んで結合するようにしたものである。そして、最後に図８（ｄ）および図９（ｃ）に示すように、その蓋部２３の外周に押さえバンド２３ｂを被せることで外側容器１０の脱落を防止することができる。
【００３７】
このような構成によれば、図３に示したようなねじ込み構造と同様に、内容物Ｍをすべて絞り出して空になった内側容器２０を外側容器１０から外して新しい内側容器２０に簡単に交換することができる。
また、さらに図１０に示すように、空気孔１５を容器本体１１の上部に形成すると共に、この空気孔１５を開閉する短冊形状をしたフィルム状の空気弁１４を容器本体１１の内壁側であってその周方向に沿って取り付けるようにすれば、より確実に空気孔１５を開閉することができる。
すなわち、図１１（ａ）に示すように容器本体１１の内側は周方向に曲面状に湾曲している。このためその容器本体１１の湾曲内側であってその周方向に沿って短冊形状をしたフィルム状の空気弁１４を取り付ければ、その空気弁１４の可動部が空気孔１５側に強く密着されるため、逆止弁としての機能をより確実に発揮することができる。
【符号の説明】
【００３８】
１００…二重構造の容器（二重容器）
１０…外側容器
１１…容器本体
１１ａ…突起
１２…口部
１３…ねじ山
１４…空気弁
１５…空気孔
１６…弁体
２０…内側容器
２１…容器本体
２２…口部
２３…蓋部
２３ａ…溝
２３ｂ…押さえバンド
２４…ねじ溝
２５…ガイドパイプ
２５ａ…上部開口部
２６…流入孔
２７…逆流防止弁
２８…突部
２９…コイルバネ
Ｂ…ボール弁
Ｍ…内容物
Ｓ…隙間
【図１】
2011157119.tif 000003
【図２】
2011157119.tif 000004
【図３】
2011157119.tif 000005
【図４】
2011157119.tif 000006
【図５】
2011157119.tif 000007
【図６】
2011157119.tif 000008
【図７】
2011157119.tif 000009
【図８】
2011157119.tif 000010
【図９】
2011157119.tif 000011
【図１０】
2011157119.tif 000012
【図１１】
2011157119.tif 000013